【手続補正書】
【提出日】平成25年2月22日(2013.2.22)
【手続補正１】
【補正対象書類名】明細書
【補正対象項目名】発明の名称
【補正方法】変更
【補正の内容】
【発明の名称】半導体装置、半導体光源装置、半導体装置の制御方法及び投影装置
【手続補正２】
【補正対象書類名】明細書
【補正対象項目名】０００１
【補正方法】変更
【補正の内容】
【０００１】
本発明は、例えば直列接続された複数のＬＥＤなどの半導体光源素子を用いる装置に好適な半導体装置、半導体光源装置、半導体装置の制御方法及び投影装置に関する。
【手続補正３】
【補正対象書類名】明細書
【補正対象項目名】００１４
【補正方法】変更
【補正の内容】
【００１４】
本発明は上記のような実情に鑑みてなされたもので、その目的とするところは、できる限り簡素な回路構成としながらも、直列接続された半導体光源素子の異常を確実に検出することが可能な半導体装置、半導体光源装置、半導体装置の制御方法及び投影装置を提供することにある。
【手続補正４】
【補正対象書類名】明細書
【補正対象項目名】００１５
【補正方法】変更
【補正の内容】
【００１５】
本発明は、互いに接続された複数の半導体素子と、上記複数の半導体素子を駆動する駆動回路と、上記複数の半導体素子に接続された複数の抵抗と、上記複数の抵抗に印加される電圧値に基づいて上記複数の半導体素子中で短絡している素子を判定する判定手段とを具備したことを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
また、本発明は、互いに接続された複数の半導体素子と、上記複数の半導体素子に対し、電源の電圧の印加時間デューティを可変して異なる直流電圧で駆動するＤＣ／ＤＣコンバータによる駆動回路と、上記駆動回路での印加時間デューティに基づいて上記複数の半導体素子中で短絡している素子を判定する判定手段とを具備したことを特徴とする。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
また、本発明は、互いに接続された複数の半導体素子と、上記複数の半導体素子を駆動する駆動回路と、上記複数の半導体素子に対応付けて接続された複数の開閉スイッチ回路と、上記複数の半導体素子に接続され、当該半導体素子に印加される電圧に基づいて上記開閉スイッチ回路を開状態とする複数の電圧検出手段と、上記駆動回路により上記複数の半導体素子全体に印加される電圧の変化から上記複数の開閉スイッチ回路の少なくとも１つが開状態となったことを判定する判定手段とを具備したことを特徴とする。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】変更
【補正の内容】
【００２６】
本発明によれば、できる限り簡素な回路構成としながらも、直列接続された半導体素子の異常を確実に検出することが可能となる。
【手続補正１６】
【補正対象書類名】特許請求の範囲
【補正対象項目名】全文
【補正方法】変更
【補正の内容】
【特許請求の範囲】
【請求項１】
互いに接続された複数の半導体素子と、
上記複数の半導体素子を駆動する駆動回路と、
上記複数の半導体素子に接続された複数の抵抗と、
上記複数の抵抗に印加される電圧値に基づいて上記複数の半導体素子中で短絡している素子を判定する判定手段と
を具備したことを特徴とする半導体装置。
【請求項２】
上記半導体装置は、さらに上記複数の抵抗に所定の電流を流す電流源を有することを特徴とする請求項１に記載の半導体装置。
【請求項３】
上記電流源は、上記駆動回路による上記複数の半導体素子の非駆動時に上記複数の抵抗に所定の電流を流すことを特徴とする請求項２に記載の半導体装置。
【請求項４】
上記電流源により所定の電流が上記複数の抵抗に印加される際に上記複数の半導体素子に印加される電圧値は上記複数の半導体素子の動作閾値電圧よりも小さくなるように、上記複数の抵抗の抵抗値と上記電流源の電流値とが設定されていることを特徴とする請求項１乃至請求項３の何れかに記載の半導体装置。
【請求項５】
上記半導体装置は、さらに、上記抵抗に印加される電圧を予め設定された比で分圧する分圧回路を備え、上記判定手段は、上記分圧回路で分圧された電圧値に基づいて上記複数の半導体素子中で短絡している素子を判定することを特徴とする請求項１に記載の半導体装置。
【請求項６】
上記複数の抵抗は、上記複数の半導体素子にそれぞれ並列接続されていることを特徴とする請求項１乃至請求項５の何れかに記載の半導体装置。
【請求項７】
互いに接続された複数の半導体素子と、
上記複数の半導体素子に対し、電源の電圧の印加時間デューティを可変して異なる直流電圧で駆動するＤＣ／ＤＣコンバータによる駆動回路と、
上記駆動回路での印加時間デューティに基づいて上記複数の半導体素子中で短絡している素子を判定する判定手段と
を具備したことを特徴とする半導体装置。
【請求項８】
上記判定手段は、さらに上記電源の直流電圧値に基づいて上記複数の半導体素子中で短絡している素子を判定することを特徴とする請求項７に記載の半導体装置。
【請求項９】
上記複数の半導体素子の温度を検出する温度検出手段をさらに具備し、
上記判定手段は、上記温度検出手段での検出結果に基づいて、上記複数の半導体素子中で短絡している素子数の判定結果と、上記駆動回路による印加時間デューティの少なくとも一方を補正する
ことを特徴とする請求項７又は請求項８に記載の半導体装置。
【請求項１０】
互いに接続された複数の半導体素子と、
上記複数の半導体素子を駆動する駆動回路と、
上記複数の半導体素子に対応付けて接続された複数の開閉スイッチ回路と、
上記複数の半導体素子に接続され、当該半導体素子に印加される電圧に基づいて上記開閉スイッチ回路を開状態とする複数の電圧検出手段と、
上記駆動回路により上記複数の半導体素子全体に印加される電圧の変化から上記複数の開閉スイッチ回路の少なくとも１つが開状態となったことを判定する判定手段と
を具備したことを特徴とする半導体装置。
【請求項１１】
互いに接続された複数の半導体光源素子と、
上記複数の半導体光源素子を駆動する駆動回路と、
上記複数の半導体光源素子に接続された複数の抵抗と、
上記複数の抵抗に印加される電圧値に基づいて上記複数の半導体光源素子中で短絡している素子を判定する判定手段と
を具備したことを特徴とする半導体光源装置。
【請求項１２】
上記複数の抵抗に印加される電圧を予め設定された比で分圧する分圧回路を備え、
上記判定手段は、上記分圧回路により分圧された電圧値に基づいて上記複数の半導体素子中で短絡している素子を判定することを特徴とする請求項１１に記載の半導体光源装置。
【請求項１３】
互いに接続された複数の半導体光源素子と、
上記複数の半導体光源素子に対し、電源の電圧の印加時間デューティを可変して異なる直流電圧で駆動するＤＣ／ＤＣコンバータによる駆動回路と、
上記駆動回路での印加時間デューティに基づいて上記複数の半導体光源素子中で短絡している素子を判定する判定手段と
を具備したことを特徴とする半導体光源装置。
【請求項１４】
互いに接続された複数の半導体光源素子と、
上記複数の半導体光源素子を駆動する駆動回路と、
上記複数の半導体光源素子に対応付けて接続された複数の開閉スイッチ回路と、
上記複数の半導体光源素子に接続され、当該半導体光源素子に印加される電圧に基づいて上記開閉スイッチ回路を開状態とする複数の電圧検出手段と、
上記駆動回路により上記複数の半導体光源素子全体に印加される電圧の変化から上記複数の開閉スイッチ回路の少なくとも１つが開状態となったことを判定する判定手段と
を具備したことを特徴とする半導体光源装置。
【請求項１５】
互いに接続された複数の半導体素子、及び上記複数の半導体素子を駆動する駆動回路を備えた半導体装置の制御方法であって、
上記複数の半導体素子に複数の抵抗を接続し、
上記複数の抵抗に印加される電圧値に基づいて上記複数の半導体素子中で短絡している素子を判定する
ことを特徴とする半導体装置の制御方法。
【請求項１６】
上記複数の抵抗に印加される電圧を予め設定された比で分圧し、
上記分圧された電圧値に基づいて上記複数の半導体素子中で短絡している素子を判定することを特徴とする請求項１５に記載の半導体装置の制御方法。
【請求項１７】
互いに接続された複数の半導体素子、及び上記複数の半導体素子に対し、電源の直流電圧の印加時間デューティを可変して異なる電圧で駆動するＤＣ／ＤＣコンバータによる駆動回路を備えた半導体装置の制御方法であって、
上記駆動回路での印加時間デューティに基づいて上記複数の半導体素子中で短絡している素子を判定することを特徴とする半導体装置の制御方法。
【請求項１８】
互いに接続された複数の半導体素子、及び上記複数の半導体素子を駆動する駆動回路を備えた半導体装置の制御方法であって、
上記複数の半導体素子に対応付けて複数の開閉スイッチ回路を接続し、
上記複数の半導体素子それぞれに、当該半導体素子に印加される電圧から素子の短絡を検出し、その検出結果により当該半導体素子に接続された開閉スイッチ回路を開状態とする複数の電圧検出手段を接続し、
上記駆動回路により上記複数の半導体素子全体に印加される電圧の変化から上記複数の開閉スイッチ回路の少なくとも１つが開状態となったことを判定する
ことを特徴とする半導体装置の制御方法。
【請求項１９】
複数の半導体光源素子を互いに接続した半導体光源素子アレイを複数設け、それぞれ異なる色の光を発する上記各半導体光源素子アレイを時分割で発光駆動する光源と、
画像信号を入力する入力手段と、
上記入力手段で入力された画像信号に基づいて表示素子により画像を表示させ、上記光源から時分割で入光される複数色の光を上記表示素子で反射あるいは透過させてカラーの光像を形成し、投影対象に向けて投影する投影手段と、
上記各半導体光源素子アレイを構成する半導体光源素子に接続した複数の抵抗と、
上記複数の抵抗に印加される電圧値に基づいて上記各半導体光源素子アレイ中で短絡している素子を判定する複数の判定手段と、
上記複数の判定手段での判定結果に応じて上記光源及び上記投影手段の少なくとも一方の動作を調整する投影制御手段と
を具備したことを特徴とする投影装置。
【請求項２０】
複数の半導体光源素子を互いに接続した半導体光源素子アレイを複数設け、それぞれ異なる色の光を発する上記各半導体光源素子アレイに対し、電源の直流電圧の印加時間デューティを可変して異なる直流電圧で時分割で駆動する光源と、
画像信号を入力する入力手段と、
上記入力手段で入力された画像信号に基づいて表示素子により画像を表示させ、上記光源から時分割で入光される複数色の光を上記表示素子で反射あるいは透過させてカラーの光像を形成し、投影対象に向けて投影する投影手段と、
上記各半導体光源素子アレイ毎に設けられ、上記印加時間デューティに基づいて上記各半導体光源素子アレイ中で短絡している素子を判定する複数の判定手段と、
上記複数の判定手段での判定結果に応じて上記光源及び上記投影手段の少なくとも一方の動作を調整する投影制御手段と
を具備したことを特徴とする投影装置。